(57)【要約】【課題】本発明は、１つ以上の太陽電池パネル(S)を取り付けるための取付システム(100)を提供する。【解決手段】本取付システムは、互いに離間されかつ実質的に平行に配置されかつ固着されるように構成されている複数の細長い取付部材(20)と、各取付部材(20)を屋根構造などの支持構造に固着するための複数の固着装置(30)とを備える。各取付部材(20)は、太陽電池パネル(S)の端縁領域(E)を、各太陽電池パネル(S)が少なくとも２つの取付部材(20)間を延びるように受けかつ支持するように構成されている。さらに、各固着装置(30)は、支持構造に堅く締められるべきフーチング(31)と、取付部材(20)のうちの各１つと接続するための結合部材(35)とを備える。結合部材(35)とフーチング(31)との間隔は、各取付部材(20)の支持構造に対する相対的な高度を調整、設定するために使用者によって選択的に可変である。【選択図】図５
2013513040.tif 000002
【特許請求の範囲】
【請求項１】
１枚以上の太陽電池パネル（Ｓ）を取り付けるための取付システム（１００）であって、
互いに離間されかつ実質的に平行に配置されかつ固着されるように構成されている複数の細長い取付部材（２０）であって、各前記取付部材（２０）は、太陽電池パネル（Ｓ）の端縁領域（Ｅ）を，各太陽電池パネル（Ｓ）が少なくとも２つの取付部材（２０）の間で延びるように受けかつ支持するように構成されている取付部材（２０）と、
各取付部材（２０）を屋根構造などの支持構造に固着するための複数の固着装置（３０）であって、
各固着装置（３０）は、前記支持構造に堅く締められるべきフーチング（３１）と、前記取付部材（２０）のうちの各１つと接続するための結合部材（３５）とを備え、前記結合部材（３５）と前記フーチング（３１）との間隔は、前記各取付部材（２０）の前記支持構造に対する相対的な高度を調整するおよび／または設定するために使用者によって選択的に可変である、固着装置（３０）とを備える、取付システム（１００）。
【請求項２】
前記結合部材（３５）は、スペーサ部材を介して前記フーチング（３１）と接続され、かつ前記スペーサ部材および／または前記結合部材（３５）は、前記結合部材（３５）の前記フーチング（３１）に対する相対的な位置を変化させ、それによって前記間隔を変化させる手段を含む、請求項１に記載に取付システム（１００）。
【請求項３】
前記位置変更部材は、所定の最大値と所定の最小値との間で前記間隔を連続的に変化させるように構成されており、前記位置変更部材は、好ましくはねじ山を含む、請求項２に記載の取付システム（１００）。
【請求項４】
各固着装置（３０）の前記結合部材（３５）は、前記各取付部材（２０）に、前記取付部材（２０）の実質的に全長に沿って、好ましくはスナップ式接続により選択的に接続可能であるように構成されている、前記いずれかの請求項に記載の取付システム（１００）。
【請求項５】
前記結合部材（３５）は、前記各取付部材（２０）内または上に設けられた１つ以上の相補的な相互接続要素と係合するための、好ましくは凸部または凹部の形状の１つ以上の相互接続要素を備え、前記相互接続要素は、好ましくは、それぞれ相補的な舌要素および溝要素として設けられる、請求項４に記載の取付システム（１００）。
【請求項６】
前記取付部材（２０）は、前記固着装置（３０）のうちの１つ以上と接続するためのベース部（２２）を備え、前記ベース部（２２）は、前記取付部材（２０）の長手方向に延び、かつ前記結合部材（３５）を受けるように構成されている溝部（２３）を含み、かつ／または
下方に開いてもよい前記溝部（２３）は、好ましくは、前記結合部材の前記相互接続要素としっかり係合するための１つ以上の相補的な相互接続要素を含む、請求項４または請求項５に記載の取付システム（１００）。
【請求項７】
太陽電池パネル（Ｓ）を取り付けるための取付レール（２０）であって、
前記取付部材（２０）の長手方向に延びており、前記太陽電池パネル（Ｓ）の端縁領域（Ｅ）を受けかつ固定するための少なくとも１つのパネル着座領域（１９）を有する上部（２１）と、
前記取付レール（２０）の下面に下方に開いている、長手方向に延びている溝部（２３）を有するベース部（２２）であって、前記下方に開いている溝部は、前記取付部材（２０）を屋根構造などの支持構造に固着するための固着装置（３０）の結合部材（３５）を受けるように構成されている、溝部（２２）とを備え、
前記下方に開いている溝部（２３）は、前記固着装置（３０）の前記結合部材とスナップ式係合するために構成されている相互接続要素を備える、取付レール（２０）。
【請求項８】
前記下方に開いている溝部（２３）における前記相互接続要素は、前記固着装置（３０）の前記結合部材（３５）との弾性的に柔軟なまたは弾性的に偏った係合のために構成されており、かつ／または
前記下方に開いている溝部（２３）における前記相互接続要素は、角度が付けられかつ／または丸くされた表面を用いて、その間でのすべり接触およびスナップ式相互接続への係合を容易にするように構成されている、請求項７に記載の取付レール（２０）。
【請求項９】
前記ベース部（２２）は、上方に開いており、前記太陽電池パネル（Ｓ）の下で水の浸入を捉えるおよび／または方向づけるための、少なくとも１つの長手方向に延びている溝部（２８）を含み、前記ベース部（２２）の前記少なくとも１つの上方に開いている溝部（２８）は、長手方向に隣接するすなわち接している取付部材（２０）の前記ベース部（２３）の各上方に開いている溝部（２８）と前記長手方向に重なるように構成されている、請求項７または請求項８に記載の取付レール（２０）。
【請求項１０】
前記少なくとも１つの上方に開いている溝部（２８）は、前記取付レール（２０）上の前記パネル受入領域（１９）の横方向範囲を越えて前記取付レール（２０）の側面まで横方向に、すなわちその幅で突出している、請求項９に記載の取付レール（２０）。
【請求項１１】
前記ベース部（２２）は、１つの取付レール（２０）の前記ベース部（２２）が、長手方向に隣接するすなわち接している取付レール（２０）の前記ベース部（２２）と重なるように構成されるように、前記上部（２１）から長手方向にオフセットされかつ／またはそれを越えて長手方向に延びている、請求項７〜請求項１０のいずれか１項に記載の取付レール（２０）。
【請求項１２】
太陽電池パネル取付システム（１００）の取付レール（２０）を支持構造に固着するための固着装置（３０）であって、前記固着装置（３０）は、
前記支持構造に堅く締められるべきフーチング（３１）と、
前記取付レール（２０）と接続するための結合部材（３５）とを備え、
前記固着装置（３０）は、前記結合部材（３５）の前記フーチング（３１）からの距離すなわち間隔を選択的に変化させて、前記取付部材（２０）の前記支持構造に対する相対的な高度を調整するおよび／または設定するための手段を含む、固着装置（３０）。
【請求項１３】
前記結合部材（３５）は、スペーサ部材を介してフーチング（３１）に接続され、かつ前記スペーサ部材上での前記結合部材の前記位置を選択的に変化させて、前記取付部材（２０）の前記支持構造に対する相対的な高度を調整するおよび／または設定するための手段をさらに備える、請求項１２に記載の固着装置（３０）。
【請求項１４】
前記スペーサ部材は、前記フーチング（３１）に堅く固定され、かつ前記スペーサ部材および／または前記結合部材は、前記位置変更手段を含む、請求項１３に記載の固着装置（３０）。
【請求項１５】
１枚以上の太陽電池パネル（Ｓ）を取り付けるための取付システム（１００）であって、
互いに長手方向に整列して配置されかつ固着されるように構成されており、１枚以上の太陽電池パネル（Ｓ）をその上に支持するための複数の細長い取付部材（２０）と、
各前記取付部材（２０）を屋根構造などの支持構造に固着するための複数の固着装置（３０）とを備え、
各前記取付部材（２０）は、
太陽電池パネル（Ｓ）の端縁領域（Ｅ）を受けかつ支持するように構成されている上部（２１）と、
前記取付部材（２０）の実質的に全長に沿って前記固着装置（３０）のうちの１つ以上と接続するために構成されているベース部（２２）とを備え、
前記取付部材（２０）の前記ベース部（２２）は、前記ベース部（２２）が、長手方向に隣接するすなわち接している取付部材（２０）の前記ベース部（２２）と重なるように構成されるように、前記上部（２１）から長手方向にオフセットされかつ／またはそれを越えて長手方向に延びている、取付システム（１００）。
【請求項１６】
前記ベース部（２２）は、上方に開いており、前記太陽電池パネル（５）の下で水の浸入を捉えるおよび／または方向づけるための、少なくとも１つの長手方向に延びている溝部（２８）を含み、前記ベース部（２２）の前記少なくとも１つの上方に開いている溝部（２８）は、長手方向に隣接するすなわち接している取付部材（２０）の前記ベース部（２２）の各上方に開いている溝部（２８）と前記長手方向に重なるように構成されている、請求項１５に記載の取付システム（１００）。
【請求項１７】
前記太陽電池パネル（Ｓ）の前記端縁領域（Ｅ）を受けかつ固定するための各取付部材（２０）上のパネル着座領域（１９）は、前記取付部材（２０）の長手方向に延びており、かつ前記少なく１つの上方に開いている溝部（２８）は、前記取り付け部材（２０）上の前記着座領域（１９）の横方向範囲を越えて、前記各取付部材の側面まで横方向に突出している、請求項１５または請求項１６に記載の取付システム（１００）。
【請求項１８】
前記ベース部（２２）は、下方に開いておりかつ前記取付部材（２０）の長手方向に延びている、前記固着装置（３０）のうちの１つの結合部材（３５）を受けるための溝部（２３）を含む、請求項１５〜請求項１７のいずれか１項に記載の取付システム（１００）。
【請求項１９】
前記複数の細長い取付部材（２０）は、前記細長い取付部材（２０）が、前記太陽電池パネル（Ｓ）のアレイをその上に支持するための取付フレーム（１０）を形成し、各太陽電池パネル（Ｓ）が少なくとも２つの横方向に離間された取付部材（２０）間を延びるように、互いに実質的に平行にかつ横方向に離間されて配置されかつ固着されるようにも構成されている、請求項１５〜請求項１８のいずれか１項に記載の取付システム（１００）。
【請求項２０】
太陽電池パネル（Ｓ）が、太陽電池パネル（Ｓ）を傾斜構造に取り付けるための取付システム（１００）の細長い取付部材（２０）に対して相対的に軸方向または長手方向に摺動するのを防ぐ保持要素（４０）であって、
第１の細長い取付部材（２０）の軸方向端部領域にしっかり締められるように構成されている本体部（４１）であって、前記本体部（４１）は、前記第１取付部材（２０）に取り付けられる太陽電池パネル（Ｓ）の周端縁（Ｐ）と係合するための停止面（４６）を有する停止部材（４５）を備える、本体部（４１）を備え、
前記本体部（４１）は、前記第１取付部材（２０）の前記端部領域を、前記第１取付部材（２０）と長手方向に整列して配置されている第２取付部材（２０）の隣接する端部領域に対して相対的に持ち上げるように構成されている位置決め手段を含む、保持要素（４０）。
【請求項２１】
前記位置決め手段は、前記第２取付部材（２０）の前記端部領域内で受けられるようにかつ／またはそれと重なるように、かつ／またはその上に着座するように構成されている１つ以上の突出部（４７，４８）を含む、請求項２０に記載の保持要素（４０）。
【請求項２２】
前記本体部（４１）は、前記第１取付部材の対向端面と、好ましくは対向板部材を介して係合するように構成されており、かつ前記位置決め手段の前記１つ以上の突出部（４７，４８）は、好ましくは前記対向板部材から突出している、請求項２１に記載の保持要素（４０）。
【発明の詳細な説明】
【技術分野】
【０００１】
本発明は、太陽電池パネルを取り付けるための取付システム、ならびに本発明の取付システムで用いるように設計されている取付レールおよび固着装置に関するものである。
本発明の取付システム、ならびに、関連する取付レールおよび固着装置は、特に勾配屋根などの屋根または類似の構造に太陽電池パネルを取り付ける際の使用に特に好適であり、本発明をこれに関連して説明する。しかしながら、本発明の取付システムは、屋根または傾斜面での使用に限定されず、太陽電池パネルがさまざまな支持骨組みのいずれかに取り付けられるように使用されてもよい。
【背景技術】
【０００２】
再生可能エネルギー源を採用する傾向が強まってきた結果、太陽電池パネルアレイの設置は、工業や企業だけでなく、家庭環境および農業環境でも普及しつつある。工業、企業、家庭もしくは農業環境のいずれにかかわらず、太陽電池パネルは、建物の屋根に、最も典型的には太陽光エネルギーが必要とされる領域にしばしば取り付けられる。屋根構造は、正常な視覚観点からすると邪魔にならないところにありかつしばしば大部分が視界の外にあり、それによって設備が比較的目立ち過ぎないようになっている。屋根は太陽の方に向けられる大きな表面領域を呈するので、本目的にとって特に便利である。水平すなわち平らな屋根の表面は、均一でかつ安定した作業環境を提供するので、太陽電池パネルのアレイを組立てかつ設置する作業者にとって便利である。しかしながら、多くの屋根構造は、水平ではなくてむしろ勾配すなわち角度があり、かつそれによって太陽電池パネルを設置する作業者にとって重大な課題を提示している。
【０００３】
太陽電池パネルアレイを屋根、特に勾配すなわち角度のある屋根の上に設置するとき、太陽電池パネルが配置されるべき屋根の領域において、瓦またはシート材料などの元の屋根仕上げ材の一部分を取り外すことがしばしば望ましくかつ必要である。このことは、その上に太陽電池パネルのアレイが最終的に支持されかつ固着されるべき屋根の構造的な骨組み（すなわち、垂木、当て木、棟木および／または横梁などの梁および支持部材の配置）に接近することがしばしば必要である。この領域の元のクラッド材料を取り外すことによっても、太陽電池パネルアレイを屋根内に設置することが可能になり、それによって元の外部屋根仕上げ材の頂部にただ単に取り付けた場合よりも当該アレイがかなり目立たなくなりかつはっきり見えなくなる。しかしながら、元の屋根仕上げ材の代わりに太陽電池パネルアレイが用いられると、当該アレイの設置後に、屋根において耐候性の保全が保持されることを保証することが重要である。
【０００４】
太陽電池パネルは、典型的には光起電力モジュールを備え、かつ製造業者によってますます製造されつつあるその新バージョンは、パネル端縁の周囲の金属フレームをなくした比較的薄いガラス層状モジュールを備える。フレームなしのガラス層状起電力パネルは、最大可能太陽効率を与えないかもしれないが、それにもかかわらず可能な限り高い太陽効率でモジュールよりも実質的に低いコストでなお許容性能を与えるので、普及しつつある。個々のフレームなしのガラス層状光起電力太陽電池パネルは、さまざまな寸法を有してもよいが、典型的には約０.５ｍ２〜約４ｍ２の範囲にある太陽光収集面積を示す。そのようなパネルの一例は、約１．３ｍ×１．１ｍの寸法および約２５ｋｇの質量を有する。よって、フレームなしのガラスパネルは、パネルの端縁領域に損傷を生じることなく確実に取り付けるのが困難であるということに加えて、個々のパネルは、かなり重くかつ扱いにくい大きさとなることがあり、取扱い時に、微風にも影響を受けやすい面積を有し、アレイを設置する一人の人間によるそれらの取扱いを困難にしている。
【０００５】
したがって、このようなパネルを勾配すなわち傾斜のある屋根の表面に設置することは効率的な設置手順にとって大きな課題となることは明らかである。これら問題の多くに取り組むために、本出願人は、同時係属中の下記特許文献１に記載されている太陽電池パネルを取り付けるための改良されたシステムを以前に開発しており、その内容全体を参照することによって本明細書に援用する。
【先行技術文献】
【特許文献】
【０００６】
【特許文献１】国際特許出願第ＰＣＴ／ＥＰ２００９／００２４８０号
【発明の概要】
【発明が解決しようとする課題】
【０００７】
上記参照した同時係属中の出願に記載されているシステムによって提供される利点および利益を鑑みても、一人の人間が行うことができるより簡単なかつより効率的な設置手順を提供し、かつそれによって例えば勾配屋根または角度のある構造上に設置を行う人の健康および安全、ならびに付近に居合わせた人の健康および安全に対するリスクを最小限にするために、太陽電池パネル取付システムを最適にするという目的がある。設置手続き中に太陽電池パネル自体への損傷の機会を最小限にすることも目的である。さらに、太陽電池パネルアレイが、建物外面の１部をなし、かつ簡単なかつ費用対効果が高いやり方で、当該パネルが取り付けられた後雨水が屋根構造内に浸入するのを実質的に防ぐように、太陽電池パネルアレイを屋根構造に組み込むことが可能になる、新規のかつ改良された太陽電池パネル取付システムを提供するのが目的である。
【課題を解決するための手段】
【０００８】
一態様によると、本発明は、１枚以上の太陽電池パネルを屋根構造などの支持構造に取り付けるための取付システムを提供し、互いに離間されかつ実質的に平行に配置されかつ固着されるように構成されている複数の細長い取付部材であって、各取付部材は、太陽電池パネルの端縁領域を、各太陽電池パネルが少なくとも２つの取付部材の間を延びるように受けかつ支持するように構成されている、取り付け部材と、各取付部材を支持構造に固着するための複数の固着装置であって、各固着装置は、支持構造に堅く締められるべきフーチングと、取付部材のうちの各１つと接続するための結合部材とを備える、固着装置とを備える。本発明によると、結合部材とフーチングとの間隔は、各取付部材の支持構造に対する相対的な高度すなわち高さを調整するため、および／または、設定するために使用者によって選択的に可変である。このようにして、太陽電池パネルアレイを屋根構造に設置するとき、取付システムを、屋根梁の位置や大きさを含む特定の当該屋根構造に合うように操作者が容易に構成することができる。このことは、太陽電池パネルを、建物外面の一部として機能するようにかつ元の屋根クラッド材料の代わりに効果的に用いられるように配置することができるように、各上端縁領域および下端縁領域で、例えば勾配すなわち傾斜のある屋根構造上で重なるべき太陽電池パネルの配設を調整しかつ設定するのに特に便利である。言い換えると、雨水および／または雪解け水を、屋根空間へのかなりの浸入を許可することなく屋根領域上に案内するように、太陽電池パネル自体を配置することができる。
【０００９】
本発明の好ましい形態では、各固着装置のフーチングは、その上に取付システム、すなわち複数の取付部材を備える取付システムが起立してもよい安定した骨組みを提供するように設計されている。この点について、各フーチングは、１つ以上の締め具（例えば、ねじ締め具）を介して支持構造に堅く付着するための板部材を備えてもよい。このように、板部材の実質的に平らなすなわち平面的な表面は、支持構造の実質的に平らな表面に対して安定して着座しかつそれに堅く締められるように構成されてもよい。
【００１０】
本発明の特定の形態において、各固着装置の結合部材は、スペーサ部材を介して離間された関係でフーチングに接続される。そのような実施形態では、スペーサ部材および／または結合部材は、好ましくはスペーサ部材上での結合部材の位置を選択的に変化させる（かつ望ましくは設置するまたは固定する）手段を含む。このため、結合部材は、スペーサ部材に取り付けられかつそれに対して選択的に相対移動可能であってもよい。すなわち、位置変更手段は、スペーサ部材上での結合部材を移動させる手段を含んでもよい。他方、フーチングは、スペーサ部材に堅く固定されてもよい。相対移動の可能性があるにもかかわらず、結合部材とスペーサ部材との間の接続は、それにもかかわらず、典型的には安定しており、確実であり、かつ頑丈である。スペーサ部材上での結合部材の位置を変化させることによって、結合部材とフーチングとの間隔は、それによって支持構造に対する取付部材の相対的な高度を調整するために、使用者によって選択的に変化させられかつ／または設定される。このようにして、位置変更手段は、本質的に間隔を調整する手段を形成する。
【００１１】
本発明の好ましい形態では、位置変更手段（すなわち、調整手段）は、所定の最大値と所定の最少値との間、すなわち２つの端部位置間で連続的に間隔を変更させるように構成されている。この点について、位置変更手段（すなわち、調整手段）は、それに沿って端部位置で段階的な連続変位を達成するためのねじ山を組み込んでもよい。例えば、スペーサ部材は、ねじ棒を備えてもよく、かつ結合部材は、ねじ棒を結合部材に対して相対的に回転させることで、結合部材が、軸方向に棒に沿って、フーチングの方へまたはそれから離れて移動し、それによってその間の距離すなわち間隔を変化させるまたは調整するように、スペーサ棒とねじ係合されてもよい。もちろん当然のことながら、本発明は、調整手段のためのねじ山の使用に限定されない。位置変更手段（すなわち、調整手段）は、例えば、スペーサ部材の長さに沿って結合部材の位置を選択的にかつ解除可能にクランプで締めかつ固定するクランプ機構などの摺動可能機構を備える。そのようなクランプ機構を、スペーサ部材に沿った連続的な摺動運動に合うようにすることができる結合部材に設けることができる。あるいは、位置変更手段（調整手段）は、スペーサ部材上の結合部材の所望の位置、ひいてはフーチングと結合部材との間隔を選択的に調整しかつ設定するための一連の離散ロック位置を持つ戻り止め機構を備えてもよい。
【００１２】
本発明の好ましい形態では、各固着装置の結合部材は、各取付部材と、当該取付部材の実質的に全長に沿って、例えばスナップ式により選択的に接続するために構成されている。このようにして、操作者は、最大限の柔軟性を持って、固着装置が接続されるべき取付部材の長さに沿った位置を選択する。このことは、その上を取付部材が延びかつそれに取付部材が固着されるべき屋根構造における梁の相対位置が、屋根によって異なることを考慮すると非常に重要である。各細長い取付部材をその長さに沿って３点以上で固着することがしばしば必要であるので、取付部材の長さに沿って効果的な任意の所望の位置で固着装置を接続する能力が特に有利である。さらに、特定の屋根構造のための取付部材の長さに沿って固着装置にとっての所望の位置を選択したので、操作者は、次に簡単なスナップ式または「クリックイン」操作で固着装置を取付部材にしっかりと接続してもよい。
【００１３】
この点において、各取付部材は、望ましくは、取付部材の長手方向に延びており、結合部材を受けかつそれとしっかり係合するための溝部を備える。溝部は、取付部材のベース部に設けられてもよく、かつ取付部材の下面から結合部材を受けるために下方に開いていてもよい。下方に開いている溝部は、取付部材の実質的に全長にわたって延びており、かつ固着装置の結合部材は、溝部と係合しかつしっかりと接続するように構成されている。
【００１４】
本発明の好ましい形態では、結合部材は、取付部材の下方に開いている溝部に設けられる少なくとも１つの相補的な相互接続要素と結合係合するための少なくとも１つの相互接続要素を備える。結合部材の少なくとも１つの相互接続要素は、例えば、凸の形状であってもよい。この場合、溝部の少なくとも１つの相補的な相互接続要素は、対応するものまたは対応する幾何学的形状を有する凹部を備えてもよい。あるいは、もちろん、結合部材の少なくとも１つの相互接続要素は、凹の形状であってもよく、かつ溝部における少なくとも１つの相補的な相互接続要素は、対応する凸部であってもよい。特定的な実施形態では、凸部と凹部とのそのような組み合わせは、相補的な舌要素および溝要素の形状であってもよい。これらの要素には、その間でのすべり接触およびスナップ式相互接続への係合を容易にするために、角度のある表面および／または丸くなったまたは湾曲した端縁が設けられてもよい。
【００１５】
本発明の好ましい形態では、取付部材のベース部の下方に開いている溝部は、固着装置と取付部材との間の所望のスナップ式接続を容易にするために、弾性的に柔軟または弾性的に変形可能であってもよい。例えば、相補的な相互接続要素が溝部の対向側壁に設けられて、結合部材の両側に設けられた相互接続要素に係合すると、溝部の側壁は、例えば、各要素の「クリックイン」またはスナップ式係合を達成するまたは助けるための壁の弾性拡大または戻り収縮を容易にするために、ある程度の弾性柔軟性または変形可能性を組み込んでもよい。あるいはまたはさらに、要素自体、例えば凸部は、スナップ式係合を助けるための弾性またはバネ手段を有してもよい。
【００１６】
固着装置のうちの１つの結合部材が取付部材のベースにしっかりと接続された後、操作者は、上で述べたように、固着装置のフーチングと結合部材との間隔を変化させることによって取付部材の高さすなわち高度をその特定の位置で迅速にかつ簡単に調整しかつ設定することができる。以下でより詳細に説明すべき一実施形態において、取付部材に接続された結合部材に対して固着装置のフーチングを相対的に回転させることでこれを行ってもよい。いったん高度すなわち高さが適切に調整されたら、フーチングは、次に、例えばねじで屋根構造に堅く締められてもよい。
【００１７】
他の態様によれば、本発明は、太陽電池パネル取付システムにおいて太陽電池パネルを取り付けるための取付レールを提供し、当該取付レールは、取付レールの長手方向に延びており、太陽電池パネルの端部領域を受けかつ固定するための少なくとも１つのパネル着座領域を有する上部と、取付レールの下面に下方に開いている、長手方向に延びている溝部を有するベース部とを有する。当該下方に開いている溝部は、取付部材を屋根構造などの支持構造に固着するための固着装置の結合部材を受けるように構成されている。本発明によると、下方に開いている溝部は、固着装置の結合部材とスナップ式により係合するための少なくとも１つの相互接続要素を含む。このスナップ式係合は、好ましくは解除可能である。
【００１８】
本発明の好ましい形態では、取付レールの下面の下方に開いている溝部は、溝部の対向側壁に形成され、結合部材の両側の相補的な相互接続要素と係合するための相互接続要素を含む。上で既に述べたように、相互接続要素は、対応するものまたは対応する幾何学的形状を有する凸部および／または凹部（例えば、舌要素および溝要素）の形状であってもよい。さらに、溝部の側壁は、各要素の「クリックイン」またはスナップ式係合を容易にするためにある程度の弾性的な柔軟性または変形可能性を有してもよい。よって、下方に開いている溝部の相互接続要素は、固着装置の結合部材との弾性的に柔軟なまたは弾性的に偏った係合のために構成されてもよい。
【００１９】
発明の好ましい形態では、取付レールのベース部は、細長く、かつ望ましくは連続する中心縦軸に関して均一な横断面を有する。同様に、取付レールの上部は、望ましくは細長く、かつ連続する中心縦軸に関して均一な横断面を有する。取付レールの上部およびベース部は、典型的には互いに固く接続されて、一体取付レール構造を提供する。上部およびベース部は、単体で形成されてもまたはされなくてもよい。好ましくは、ベース部は、取付レールの上部から長手方向にオフセットされかつ／またはそれを越えて長手方向に延びている。このようにして、取付レールのベース部は、太陽電池パネル取付システムにおける長手方向に隣接するすなわち接している取付レールのベース部と重なるように構成されている。特に好ましい実施形態では、取付レールのベース部は、上方に開いており、太陽電池パネルの下で水の浸入の流れを捉えるおよび／または方向づけるための、少なくともなくとも１つの長手方向に延びている溝部を含む。よって、ベース部の少なくとも１つの上方に開いている溝部は、長手方向に隣接するすなわち接している取付部材のベース部の他の各上方に開いている溝部と長手方向に重なるように構成されてもよい。好ましくは、取付レールのベース部の少なくとも１つの上方に開いている溝部は、それ自体、望ましくはベース部の中央を延びている下方に開いている溝部に平行にかつそれから離間されて横方向に延びている。少なくとも１つの上方に開いている溝部は、好ましくは、取付レールの上部上のパネル着座領域の横方向範囲を越えて、取付レールの側面まで横方向に、すなわちその幅で突出している。
【００２０】
さらに他の態様によれば、本発明は、太陽電池パネル取り付けシステムの取付レールを支持構造に固着するための固着装置を提供し、当該固着装置は、支持構造に堅く締められるように構成されているフーチングと、取付レールと接続するための結合部材とを備える。当該固着装置は、結合部材のフーチングからの距離すなわち間隔を選択的に変化させて、取付部材の支持構造に対する相対的な高度を調整するおよび／または設定するための手段を含む。
【００２１】
固着装置の好ましい形態では、結合部材は、スペーサ部材を介してフーチングに接続され、かつ固着装置は、スペーサ部材上での結合部材の位置を選択的に変化させて、取付部材の高度を調整するおよび／または設定するための手段を含む。すでに上で説明したように、スペーサ部材および／または結合部材は、位置変化手段を含んでもよい。
さらに他の代わりの態様では、本発明は、１枚以上の太陽電池パネルを取り付けるための取付システムを提供し、互いに長手方向に整列されて配置されかつ固着されるように構成されており、１枚以上の太陽電池パネルをその上に支持するための複数の細長い取付部材と、取付部材を屋根構造などの支持構造に固定するための複数の固着装置とを備える。各取付部材は、太陽電池パネルの端縁領域を受けかつ支持するための上部と、取付部材の実質的に全長に沿って固着装置のうちの１つ以上と接続するために構成されているベース部とを備える。本態様によれば、取付部材のベース部は、１つの取付部材のベース部が、長手方向に隣接するすなわち接している取付部材のベース部と重なるように構成されるように、上部から長手方向にオフセットされかつ／またはそれを越えて長手方向に延びている。複数の細長い取付部材は、典型的には、細長い取付部材が、その上に太陽電池パネルのアレイを支持するための取付フレームを形成し、各太陽電池パネルが少なくとも２つの横方向に離間された取付部材間を延びるように、互いに実質的に平行にかつ横方向に離間されて配置されかつ固着されるようにも構成されている。
【００２２】
上で述べたように、本発明の好ましい形態では、ベース部は、上方に開いており、太陽電池パネルの下で水の浸入を捉えるおよび／または方向づけるための、少なくとも１つの長手方向に延びている溝部を含む。ベース部の当該少なくとも１つの上方に開いている溝部は、望ましくは、長手方向に隣接するすなわち接している取付部材のベース部の各上方に開いている溝部と長手方向に重なるように構成されている。太陽電池パネルの端縁領域を受けかつ固定するためのパネル着座領域は、取付部材の上部上で長手方向に延びており、かつ少なくとも１つの上方に開いている溝部は、パネル着座領域の横方向範囲を越えて、取付部材の側面まで横方向に、すなわちその幅で突出してもよい。
【００２３】
本発明の好ましい形態では、各取付部材のベース部は、下方に開いており、取付部材の下面で固着装置のうちの１つの結合部材を受けるための、長手方向に延びている溝部を含む。好ましくは、ベース部の少なくとも１つの上方に開いている溝部は、下方に開いている溝部と平行にかつ横方向に離間されて延びている。特定の実施様態では、各取付部材のベース部は、ベース部の中央に位置決めされる下方に開いている溝部の両側に平行にかつ横方向に離間されて延びるように配置されている２つの平行な上方に開いている溝部を含む。各上方に開いている溝部は、好ましくは、取付部材の上部上のパネル着座領域の横方向範囲を越えて取付レールの側面まで横方向に、すなわちその幅で突出している。
【００２４】
さらなる態様では、本発明は、太陽電池パネルが、太陽電池パネルを勾配屋根などの傾斜構造に取り付けるための取付システムの細長い取付部材に対して相対的に長手方向または軸方向に摺動するのを防ぐための保持要素を提供する。当該保持要素は、第１の細長い取付部材の軸方向端部にしっかり締められるように構成されている本体部を含み、当該本体部は、第１取付部材に取り付けられる太陽電池パネルの周端縁と係合するための停止面を呈する。当該本体部は、第１取付部材の端部領域を、第１取付部材と隣接してすなわち接してかつ長手方向に整列して配置されている第２取付部材の端部領域に対して相対的に持ち上げるように構成されている位置決め手段を含む。
【００２５】
発明の好ましい形態では、当該位置決め手段は、長手方向に隣接するすなわち接している第２取付部材に重なるおよび／またはそれ内で受けられるように、その上に着座するように構成されている１つ以上の突出部を含む。本体部は、好ましくは、第１取付部材の対向端面を係合するように構成されており、かつこの目的のために、対向板部材を備える。位置決め手段の１つ以上の突出部は、対向板部材上に設けられてもよくまたはそれから突出してもよい。
【００２６】
したがって、本発明は、１つ以上の太陽電池パネルを取り付けるための取付システムも提供し、互いに長手方向に整列されて配置されかつ固着されるように構成されており、その上に１つ以上の太陽電池パネルを支持するための複数の細長い取付部材を備え、各取付部材は、太陽電池パネルが取付部材に対して長手方向または軸方向に摺動するのを防ぐための、上で述べたような本発明による保持部材を備える。
【００２７】
本発明の取付システムのさまざまな部分に関して本明細書で使用している用語「上部」、「下部」、「上方」、「下方」、「上面」、「下面」、「横方向の」、「横方向に」、およびその他の類似の用語には、本明細書で説明している取付システムのノーマル・オリエンテーションすなわち使用中の配向に鑑み、それらの通常の意味を持たせるよう意図されていることに注目されたい。しかしながら、当然のことながら、これらの用語の他の解釈が、その時点でのシステムおよび／またはその各部分の特定の配向によっては適切な場合もある。
【００２８】
本発明の上記のかつさらなる特徴および利点は、本発明の好ましい実施形態の以下の詳細な説明から、同じ参照文字が同じ特徴を同定する添付の図面を参照してより簡単に明らかとなろう。
【図面の簡単な説明】
【００２９】
【図１】太陽電池パネルが屋根の一部上にある状態で組み立てられた本発明の好ましい実施形態による太陽電池パネルのための取付システムの斜視図である。
【図２】図１に示す取付システムの「Ａ」を付けた領域の取付部材の端部の詳細図である。
【図３】図１に示す取付システムの「Ｂ」を付けた領域の取付部材の端部の詳細図である。
【図４】矢印ＩＶ−ＩＶの方向における、図１に示す取付システムおよび屋根構造の断面図である。
【図５】図４に示す「Ｚ」を付けた領域の本発明の取付システムおよび屋根構造の詳細断面図である。
【図６】本発明の好ましい実施形態による太陽電池パネル取付システムのための固着装置の斜視図である。
【図７】図６の固着装置の斜視図であって、取付部材のベース部とスナップ式により接続されている結合部材を示している。
【図８】図６の固着装置の斜視下面図であって、取付部材のベース部と連動係合している固着装置の結合装置を示している。
【図９】矢印ＩＸ−ＩＸの方向における、図１に示す取付システムおよび屋根の側断面図である。
【図１０】図９に示す「Ｚ」を付けた領域の取付システムおよび屋根の横断面の詳細図である。
【図１１】図１に示す取付システムの「Ｂ７」を付けた領域の長手方向に整列されかつ接している取付部材の斜視図である。
【図１２】矢印ＸＩＩ−ＸＩＩの方向における、図１に示す取付システムの端部領域の詳細断面図である。
【図１３】図１に示す本発明の取付システムのための、本発明の実施形態による保持要素の斜視図である。
【図１４】図１の本発明の取付システムのための、本発明の実施形態による取付部材のベース部の端面図である。
【図１５】図１の本発明の取付システムのための、本発明の実施形態による取付部材の上部の端面図である。
【図１６】図１に示す本発明の好ましい実施形態による取付システムのクランプ部材の端面図である。
【図１７】図１に示す本発明の好ましい実施形態による取付システムの代わりのクランプ部材の端面図である。
【図１８】図６に示す本発明の固着装置のフーチングの斜視図である。
【図１９】図６に示す本発明の固着装置のための結合部材の斜視図である。
【図２０ａ】図１に示す本発明の取付システムのための、各スペーサ要素および代わりのスペーサ要素の斜視図である。
【図２０ｂ】図１に示す本発明の取付システムのための、各スペーサ要素および代わりのスペーサ要素の斜視図である。
【発明を実施するための形態】
【００３０】
図１を参考して、本発明の好ましい実施形態による取付システム１００を、屋根Ｒの上に設置された組立状態で示す。図１に示す取付システム１００は、長方形の配列の当該取付システムの取付フレーム１０にしっかり固定された６枚の長方形の太陽電池パネルＳを搭載するように設計されている。以下でより詳細に示すが、太陽電池パネルＳのうち５枚は、取付フレーム１０に取り付けられて示され、かつ１枚は、あるべきところになく、下部の取付システム１００の部分を見せている。本実施形態における太陽電池パネルＳは、フレームなしの板ガラスの覆いを有する比較的薄いガラス光起電力パネルまたはモジュールを備える。しかしながら、当然のことながら、他の種類の太陽電池パネルが、本発明の取付システム１００で用いるために検討されてもよい。太陽電池パネルＳは、その面積および正確な寸法は本発明にとって重要ではないが、長方形であり、かつ典型的には面積が約０．５m2〜約４m2の範囲の収集面を呈する。
【００３１】
図１に示す取付システム１００の取付フレーム１０は、複数の細長い取付部材２０を備え、当該取付部材２０は、この特定の実施形態においては、実質的に均一または一定の横断面を有する個々の直線要素から構成されており、かつ例えば押し出しアルミニウム部分として形成されている。よって、取付部材２０は、細長い構造要素であり、その上に取付システム１００のフレーム１０内で、太陽電池パネルが取り付けられかつ支持される。本実施形態では、取付部材２０を、当該技術分野でしばしば公知であるように、以下取付「レール」とも呼ぶ。
【００３２】
その上に本発明の取付システム１００が設置される、図１に示す屋根Ｒは、瓦の形状の従来の屋根仕上げ材Ｃを含む。波形板材料（例えば亜鉛めっきまたは被覆鋼屋根シート）または合成（例えばプラスチック）屋根シートなどの他の種類の屋根仕上げ材料も、もちろん可能である。屋根仕上げ材Ｃは、一連の屋根梁Ｂに支持されかつしっかり貼り付けられ、当該梁は、建物の屋根構造の骨組みを形成する。屋根梁Ｂは、屋根構造では典型的であるが、垂木、当て木、棟木、または横梁であってもよく、かつ鋼板製屋根梁も公知であるが、本実施例では木材要素である。図１の屋根瓦の重複配列からわかるように、本実施形態における屋根Ｒは、高い側面Ｈから低い側面Ｌまで少なくともわずかに角度があるすなわち勾配がある。勾配屋根すなわち傾斜屋根は、本発明の取付システム１００にとって必須ではないが、本発明は、それにより、そのような角度があるすなわち傾斜がある構造上での使用に特に好適になる特徴があると考えられている。
【００３３】
図１の取付システム１００については、取付レール２０は、屋根の略平面に実質的に平行に延び、かつ屋根自体とほぼ同じ角度で傾斜するように配置されている。言い換えれば、取付レール２０のいくつかは、勾配屋根の斜面まで真っ直ぐに延びるように互いに長手方向に整列して配置され、一方他の取付レール２０は、互いに実質的に平行に、かつ個々の太陽電池パネルＳの幅にほぼ対応する一定の間隔で離間されて配置されている。この特定の実施形態の太陽電池パネル取付システム１００を設置する際に、元の屋根仕上げ材Ｃ（すなわち瓦）の領域は、その上に取付システム１００を設置するための屋根構造の梁Ｂを露出させるようにまず取り外される。瓦が取り外された領域の周辺の端部領域を図１で見ることができる。取付レール２０は、以下でより詳細に説明するが、複数の固着装置３０の助けで屋根の構造に堅く固着されている。
【００３４】
図４および図５を参考すると、図１に示すような本発明の取付システム１００を、矢印ＩＶ−ＩＶの方向における横断面で示し、それによって個々の取付レール２０、それを用いて各取付レールが屋根構造の梁Ｂにしっかり締められる固着装置３０、および太陽電池パネルＳを明確に示す。この場合、図４の横断面で示す屋根構造の梁Ｂは垂木Ｂ１であり、一方側面図で示す梁は、横桁または当て木Ｂ２である。細長い取付レール２０は、太陽電池パネルＳの端縁領域Ｅを受けかつ固定するためのパネル着座領域１９を持つ上部２１および取付レール２０を屋根構造の梁Ｂに固着するための固着装置３０と結合されるように構成されている下部すなわちベース部２２を含む一体部材である。
【００３５】
取付レール２０は一体構成要素であるが、各取付レール２０の上部２１およびベース部２２は、別々の構成要素として形成され、かつ後に堅く結合されてもよい（例えば、溶接またはリベット打ちによって）ことに注目されたい。この点において、図１４および図１５は、それぞれ、一体取付レール２０を提供するように組み合わされる前のベース部２２および上部２１を示す。しかしながら、当然、上部２１およびベース部２２は、別々の構成要素として形成される必要はないが、最初から単一構造を有する取付レール２０の一体部品を備えることがある。図示した特定の実施形態では、各取付レール２０は、同じ構成を有しており、かつそのため、各取付レール２０は、当該取付レールの横方向の両側に２枚の別個の太陽電池パネルＳの端縁領域Ｅを受けるように構成されている。しかしながら、取付レール２０の一方が太陽電池パネルアレイの最外周に配置されると、当該取付レール２０は、図４の右側から明らかなように、典型的には太陽電池パネルの端縁領域Ｅを一方側のみで受けかつしっかり固定する。
【００３６】
取付レール２０の上部２１の構成の詳細を、太陽電池パネルＳの取り付けに関連して後に説明する。しかしながら、取付レール２０のベース部２２は、長手方向に延びている中央溝部２３を含み、当該溝部２３は、レールの下面の実質的に平らな面２４に下方に開いており、当該面２４は、中央溝部２３の横方向の両側まで延びている。図５および図１４で見られるように、ベース部２２の中央の下方に開いている溝部２３は、溝部２３の各対向側壁２６に形成されかつその長さに沿って連続的に延びているスロットすなわち溝２５を含む。すなわち、側壁２６は、比較的薄い断面外形を有するが、各スロットすなわち溝２５が設けられるより厚い領域２７を含む。図５〜図８を参照すると特に明らかであるが、下方に開いている溝部２３に形成されるスロットすなわち溝２５は、固着装置３０と連動係合するための相互接続要素を構成する。さらに、ベース部２２は、取付レール２０の長手方向に延びている２つの上方に開いている溝部２８を含む。これらの上方に開いている溝部２８は、中央の下方に開いている溝部２３の横方向に対向する側面に設けられ、かつベース部の平らな下面２４を確定する谷を含む。本実施形態では、各溝部２８は、取付レール２０の上部２１の横方向範囲を越えて横方向に突出しており、各溝部２８は、上向端縁２９で横方向に終端している。図４および図５の断面図からは明らかではないが、各取付レール２０のベース部２２は、その１端部で上部２１を超えて長手方向に延び、そのため取付レー２０の上方に開いている溝部２８を、次の長手方向に隣接するすなわち接している取付レール２０の上方に開いている溝部２８と重ねることができる。この発明の態様を、以下でより詳細に説明する。
【００３７】
固着装置３０が、取付レール２０を屋根構造に固着するために使用されるやり方に戻って、図４〜図８および図１４をさらに参照する。本発明の本実施形態における各固着装置３０は、板部材３２の形状のフーチング３１を備え、当該フーチング３１は、図４および図５に示すように、屋根構造の梁Ｂの上面に安定して着座し、その上に複数の取付部材２０、ひいては取付システム１００のフレーム１０全体が直立することがある強固な骨組みを提供するように設計されている。フーチング３１は、板部材３２の穴３３の形状の締結手段およびそこに受けられるねじ締め具３４をさらに含み、それらを用いて固着装置３０は屋根構造に堅く取り付けられる。固着装置３０は、さらに取付レール２０と接続するための結合部材３５を含む。本実施形態では、結合部材３５は、一組の横方向に対向する隆線状または舌状の突出部３６を持つ略長方形またはブロック状の本体部を有する。図５〜図８から再び明らかなように、これらの隆線状または舌状の突出部３６は、取付レール２０のベース部２２の下方に開いている溝部２３に形成されるスロットすなわち溝２５としっかり係合するための相互接続要素を形成する。よって、隆線状もしくは舌状の突出部３６には、スロットすなわち溝２５に対応するものまたは対応する幾何学的形状が設けられる。
【００３８】
図６〜図８を参考して、取付レール２０と固着装置３０との間の相互作用を、取付レール２０のベース部２２を分離した状態で示す。例えば図７に示すように、接続部材３５は、ベース部２２の下方に開いている溝部２３の長さに沿って効果的な任意の位置で取付レール２０に選択的に接続されるように構成されている。特定的には、結合部材３５の一方側の舌状突出部３６の一方を、溝部２３に沿った本質的に任意の位置で溝部２３の対応する側のスロットすなわち溝２５に挿入することができる。次に、結合部材の他方側の他方の舌状突出部３６を溝部２３の対向壁２４に形成される溝２５の方へ移動させるために、図７の矢印Ｕの方向に結合部材３５を旋回させることによって、本体部および／または結合部材３５のその舌状突出部３６は、次に溝部２３のより厚い領域２７と接触する。図１９を参考して、結合部材３５の本体部は、特にその端部領域に沿って丸くされている上表面３７を含む。これらの丸くなった面すなわち曲面３７は、下方に開いている溝部２３の側壁２４のより厚い領域２７の角度がある表面とともに、第２舌状突出部３６を第２スロットすなわち溝２５と整合させるために、結合部材３５と溝部２３の側壁２４との間でのすべり接触を容易にする。同時に、溝部２３の側壁２４の比較的薄い外形は、矢印Ｕの方向の結合部材３５の上向きの旋回運動によって生じる接触により弾性的に収縮しかつ変形することがある。その結果、第２舌状突出部３６が各溝すなわちスロット２５と整合状態になると、その突出部３６は、次にスナップ式接続によりスロット２５とスナップおよびクリック係合する。
【００３９】
図５〜図８からも明らかなように、結合部材３５は、固着装置３０のフーチング３１に、フーチング３１の板部材３２に堅く固定されかつそれから直立している棒３８を介して接続される。棒３８は、外部ねじ山を有し、かつ結合部材３５のブロック状本体部の中央部を通って形成されているねじ穴３９内で受けられる。ねじ棒３８上で結合部材３５を相対的に回転させることによって、結合部材３５を、フーチング３１の板部材３２の方へまたはそれから離れて棒３８に沿って軸方向に移動させることができる。このようにして、結合部材３５とフーチング３１の間の間隔３を、所定の最小値（すなわち、結合部材３５がフーチング３１のプレート３２に当接または接触するところ）と所定の最大値（すなわち、棒３８の頂部）との間で使用者によって選択的に変化させることができる。さらに、図５を参考すると、棒３８の長さに沿った結合部材３５の位置決めは、結合部材３５とフーチング３１の間の間隔３を判定するだけではなく、屋根構造、具体的には梁Ｂに対する各取付レール２０の相対的な高度Ｘを調整および／または設定する。よって、結合部材がベース部２２の長さに沿った所望の位置でスナップ式により接続された後、取付レール２０の高さすなわち高度を、レール２０と接続された結合部材３５に対して固着装置３０のフーチング３１（およびスペーサ棒３８）を相対回転させることによって調整することができる。いったん正しいまたは所望の高度Ｘが得られた後、フーチング３１を、次に梁Ｂの頂部に固着して、調整された高度を設定し、かつ固着装置３０を屋根構造に堅く固着することができる。調整可能な固着装置３０が本発明による太陽電池パネル取付システム１００において特に有利である理由は、図９および図１０を参考してより明らかになる。
【００４０】
図９は、図１に示す取付システム１００の、線ＩＸ−ＩＸにおける長手方向横断面を示す。よって、図９では、屋根構造の梁Ｂ（この場合、横桁または当て木Ｂ２）を横断面で示し、かつ取付フレーム１０の３つの長手方向に整列された、細長い取付部材すなわち取付レール２０を、梁Ｂの長さに対して略直角の方向に、梁Ｂの上面を横切って延びている側面から見ることができる。冒頭で述べたように、本実施形態における屋根Ｒは、典型的には、クラッドＣ（すなわち、屋根瓦）の波形の方向の高い側Ｈから低い側Ｌまで角度すなわち勾配があり、当該波形は溝部として動作して、屋根から外に雨水を搬送するまたは方向づける。簡略化のために、図９の横断面を、実質的に水平な配向で（すなわち、屋根勾配なく）示しているが、実際には、この場合屋根Ｒは、右から左に下方に傾斜するように角度がつけられている。図９の水平表示は、屋根梁Ｂの上面が、大略的に共通の平面内にある座面を共に形成し、かつこれらの面は、通常棒クラッドＣの瓦を支持していることを示すのに役立つので有用である。しかしながら、このクラッドＣが、太陽電池パネルアレイの設置のために部分的に取り外されたので、梁面の大部分は、取付システム１００における取付レール２０の支持および付着のためには現在使われていない。
【００４１】
図１ならびに図９および図１０から明らかなように、互いに平行で離間された関係で配置されていることに加えて、取付レール２０は、また互いに長手方向に整列して配置され、屋根勾配すなわち傾斜の角度の上方に延びている。本発明の太陽電池パネル取付システム１００の特定の態様は、取付レール２０が、長手方向に接しているすなわち隣接する取付レール２０に部分的に重なるように構成されていることにある。この重複は、第一に屋根Ｒの高い側の配列で取り付けられている太陽電池パネルＳの下方端縁領域が、当該配列において屋根の下方に取り付けられる隣接する太陽電池パネルＳの上方端縁領域の上にある（かつそれと重なる）ことを保証するのに役立つ。太陽電池パネルＳの各下方端縁領域および上方端縁領域におけるこの重複は、典型的には約１ｃｍ〜２ｃｍの範囲の幅以上であり、かついかなる場合でも典型的には光電池がない太陽電池パネルＳの端縁領域に対応している。第二に、互いに重なるように構成されている取付レール２０は、上方に開いている溝部２８を通る水の流出または排水の継続性を保証するのに役立つ。前に述べたように、各取付レール２０のベース部２２は、図９および図１０に見られるように、その１端部、特定的には屋根の高い側Ｈに向かう端部で、上部２１を越えて長手方向に延びている。よって、各取付レール２０のベース部２２は、上部２１に対して相対的に長手方向にオフセットした領域２を含む。このオフセット領域すなわち延長部２は、典型的には、長さが約５ｃｍ〜約６ｃｍであり、かつ１つの取付レール２０の上方に開いている溝部２８を、排水の保全や継続性を提供するために、次の長手方向に隣接するすなわち接している取付レール２０の上方に開いている溝部２８に重ねることができる。特定的には、高い方の延長取付レール２０の上方に開いている溝部２８の下方端部領域は、低い方の延長取付レール２０の上方に開いている溝部２８の上方端部で延長部またはオフセット領域２の上にある。
【００４２】
いずれの場合も、本発明の取付システム１００における取付レール２０の重複は、太陽電池パネルアレイが建物外面の一部として効果的に機能するように、雨水の流出および排水の保全および継続性を保証するように設計されている。このようにして、太陽電池パネルＳそのものおよび上方に開いている溝部２８の両方は、屋根Ｒからの雨水や雪解け水、および／または復水のスムーズな流出または排水を提供するとともに、屋根の空洞または屋根構造への望ましくない水の浸入も実質的に抑制する。このため、本発明の取付システム１００に基づく太陽電池パネルアレイは、耐候性層をもつ太陽電池パネルで覆われている屋根領域を別々にまたは追加的に被覆および密封することなく、建物外面の耐候性部を効果的に形成することができる。
【００４３】
固着装置３０が、それらの位置が各屋根構造で異なる、横桁または当て木Ｂ２に固着されるべきであるということに鑑みると、かつ本実施形態では取付レール２０の長さが、太陽電池パネルＳの長さによって事前に確定されていることに鑑みると、本発明の固着装置３０は、２つの重大な問題を解決している。一方、固着装置３０は、取付レール２０の長さに沿った、すなわち梁Ｂの位置によって選択される任意の所望の点で（かつ好ましくは、少なくとも３点で）取付レール２０を梁Ｂに固着することができる。他方、固着装置３０は、屋根構造の梁Ｂの間の任意の高さすなわち高度の相違および取付レール２０の長手方向に重なっている配置については各取付レール２０の長さに沿った設定高度差も相殺することができる。図１０に特にはっきり見られるが、中央の取付レール２０の長さに沿って使用される各固着装置３０は、取付レール２０の屋根構造の各横桁Ｂ２に関して異なる高度Ｘを与えるように選択的に調整されている。
【００４４】
図４および図５ならびに図１４および図１５を再度参照して、太陽電池パネルＳの各端縁領域Ｅが取付レール２０上に受けられかつ固着されているやり方は、同時係属中の特許文献１に記載されているシステムに実質的に対応しており、その内容を、参照することによって本明細書に援用する。図１５に示すように、取付レール２０は、当該取付レールの上面に形成される２つの着座領域１９を備える。各着座領域１９は、太陽電池パネルＳのうちの１枚の端縁領域Ｅを受けかつ支持するように構成されており、これらの２つのパネル着座領域の各々が、それが受けかつ支持する太陽電池パネルの端縁領域Ｅに平行な取付レール２０の長さに沿って延びている。したがって、この点について、各パネル着座領域１９の幅およびそれに対応して取付レール２０に支持されかつ固定されるべき各太陽電池パネルＳの端縁領域Ｅの幅は、典型的には約１０ｍｍ〜５０ｍｍの範囲に、かつ好ましくは約２０ｍｍ〜４０ｍｍの範囲にあることに注目されたい。よって、各取付レール２０の上部２１の全幅（すなわち、図１５に示す部分の幅寸法）は、約３０ｍｍ〜１２０ｍｍの範囲に、かつ好ましくは約６０ｍｍ〜９０ｍｍの範囲にある。当然、各取付レール２０のベース部２２の上方に開いている溝部２８は、この幅範囲を越えて延びてもよい。
【００４５】
取付レール２０の長手方向に延びかつ取付レール部分の上部２１の中心に配列されているのは、中央溝部１８であり、該中央溝部１８は、一組の隣接するかつ平行に延びている軸受表面１７間の取付レール２０の上面に開いている。これらの軸受表面１７の目的および操作については、後でさらに説明する。中央上溝部１８は、一組の実質的に平行な壁１６を有し、その内面は、表面形状、例えば鋸歯状の縁を有し、当該壁１６は、結合または協働して、相補的なねじ部品との相互作用のための部分的なねじ山を形成する。よって、取付レール２０の上側に形成される２つのパネル着座領域１９は、取付レール２０の横方向の両側で第１溝部１８に平行に延びている。
【００４６】
各パネル着座領域１９は、内部および外部フランジ要素１５を有し、その上面は、本質的に同じ平面に配列され、かつ太陽電池パネルＳの端縁領域Ｅを受けかつ支持するように構成されている。各部および外部フランジ要素１５の間の長手方向に延びている間隙は、各パネル着座領域１９の取付レール２０の長さに沿って延びている横方向上溝部１４内に開いている。図５の詳細に注意を払うと見られるが、各太陽電池パネルＳの端縁領域Ｅは、取付レール２０と直接接触して着座されていない。むしろ、比較的柔軟でかつ弾性的な着座要素１３が、各パネル着座領域１９に設けられている。本実施形態における太陽電池パネルＳは、フレームなしであり、かつ壊れやすいガラス材料の端縁領域Ｅのみ備えているので、太陽電池パネルの端縁領域Ｅとの接触および／または締め付けを緩和するのが当然望ましい。着座要素１３は、長方形の合成ゴム片を備え、かつ各横溝部１４へ延びている付着突出部を含む。付着突出部のひげ状または鉤状リムは、内部および外部フランジ要素の下面を係合して、着座要素１３を取付レール２０に接続する。各着座要素１３の長方形の塊状片は、各パネル着座領域１９の幅と本質的に同じである全幅を有し、かつ内側フランジの最奥端縁で小さな肩部から外側フランジの外端縁まで延びている。パネル着座領域１９の太陽電池パネルＳの均一な支持を保証するために、着座要素１３は、典型的には、着座領域１９で受けられかつそれに支持される太陽電池パネルＳの端縁領域Ｅの実質的な全長寸法にわたって延びている。着座要素１３は、例えば屋根上で実施される太陽電池パネルアレイの設置が、設置を行う人にとって簡略化されるように、望ましくは事前組み立て手順において、取付レール２０と組み合される。
【００４７】
図２、図１１および図１３を参考して、図１に示す本発明の取付システム１００における各取付レール２０は、その下方端部で取り付けられる保持要素４０を備えることがわかる。本実施形態では、各取付レール２０の上部２１（パネル着座領域１９を含む）の長さ寸法は、取付レール２０上に支持されるべき各太陽電池パネルＳの端縁領域Ｅの長さ寸法に本質的に対応している。各取付レール２０の下方端部の保持要素４０は、着座領域１９の所望の位置の各太陽電池パネルＳを保持するための停止または制限手段を提供する。
【００４８】
図１１および図１３を参考して、その後者は具体的には保持要素４０を分離して示しているが、各保持要素４０は、取付レール２０の一方の軸端領域にしっかり締められるように構成されている本体部４１を備えることがわかる。本体部４１は、取付レール２０の対向端面を係合するように構成されている略平らな板状要素４２、および使用においてパネル着座領域１９の延長部を形成するように構成されている上部横方向フランジ部材４３とを含む。保持要素４０の本体部４１は、取付レール２０の一方の軸端領域に保持要素４０を堅く固着するための横方向フランジ部材４３間の中央に、締め具、例えばボルトまたはねじを受けるための円形開口部４４も含む。本体部４１は、さらに停止または制限要素４５を備え、当該停止または制限要素４５は、本実施形態では、実質的に平らすなわち板状でもあり、かつパネル着座領域１９に対応する横方向フランジ要素４３の上方に延びている。停止または制限要素４５は、太陽電池パネルＳの周端縁Ｐと係合しかつそれを支持するように構成されている１つ以上の当接面４６を呈する。例えば図１１で見られるように、制限要素４５の横方向停止面４６は、取付レール２０のパネル着座領域１９を横方向に横切って延びており、かつ取付レール２０の上に位置決めされる太陽電池パネルＳの周端縁Ｐの高さを上方にやや越えて突出している。
【００４９】
上記特許文献１から明らかなように、開口部４４で受けられるべき締め具（図示せず）は、ねじボルトであってもよく、その雄ねじは、中央の第１上溝部１８内にある部分的なねじ山を確定する壁１６の表面を補完する外形を有する。よって、ボルト締め具は、保持要素４０を取付レール２０にしっかり締めるための取付レール２０の中央上溝部１８と協働する。さらに、ボルトおよび開口部４４を介する締結手段は、板状部材４２とともに、取付レール２０の対向端部領域で所望の所定配向で保持要素４０を位置決めするすなわち位置させる位置決め手段として機能する。特定的には、保持要素４０の停止または制限要素４５は、取付レール２０に締められると、各当接または停止面４６が各パネル着座領域１９を横切って位置決めされて、着座領域１９で受けられる各太陽電池パネルＳの端縁領域Ｅの下方周端縁Ｐと係合するように、取付レール２０の幅を横切って延びている。
【００５０】
図１１をさらに参考にして、各保持要素４０は、停止または制限部材４５の下方に、板状部材４２の前面から突き出ている一組の前向き突出部４７、および下向き突出部４８も含むのは明らかである。これらの各突出部４７、４８は、それに保持要素４０が、隣接するかつ長手方向に整列された取付レール２０の端部に関して締められる（例えば、ボルトおよび開口部４４を介して）取付レール２０の端部を位置決めするのに役立つように構成されている位置決め手段を形成する。すなわち、板状部材４２の前面すなわち側面からの突出部４７は、長手方向に隣接する取付レール２０の端部領域で各空洞１２内に受けられるように構成されてもよい。すなわち、突出部４７は、比較的正確に（すなわち、ほとんど「遊び」なく）各空洞１２に収まるような大きさおよび寸法にされてもよく、それによって２つの長手方向に隣接する取付レール２０の所望の整列を達成するのに役立つ。他方、突出部４８は、前向き突出部が各空洞内で受けられると、長手方向に隣接する取付レール２０面の上部２１上に、特に中央上溝部１８上の軸受表面１７上に静止または着座するように構成されている。よって、突出部４７、４８は、取付レール２０の端部の位置決めを達成し、該取付レール２０に、保持要素４０が第２の長手方向に隣接する取付レール２０に対する相対的な高度で堅くボルトで締められている。より特定的には、突出部４７、４８は、それに保持要素がボルトで締められている取付レール２０の保持要素４０の横方向フランジ部材４３が（ひいては、隣接パネル着座領域１９も）、第２の隣接する取付レール２０に対して持ち上げられるように、第２取付レール２０と相互作用する。高度すなわち高さの相違は、典型的には約１ｃｍ〜３ｃｍの範囲になるよう選択される保持要素４０自体の幾何学的形状によって固定されまたはあらかじめ決められかつ確定される。２つの取付レールの隣接する端部領域の高度すなわち高さの結果として生じる相違または変化は、図９および図１０から明らかであり、かつ図１１ではっきりと見える。よって、保持要素４０は、規則的なかつ繰り返し可能なやり方で取付レール２０とパネルＳ（前で説明した）との間の所望の重複を達成する際に重要な役割を果たす。
【００５１】
太陽電池パネルＳの端縁領域Ｅがパネル着座領域１９で受けられかつ固定されるための停止または制限を確定するために、各取付レール２０の端部に保持要素４０を堅く固着することによって、本発明の取付システム１００内での各太陽電池パネルＳの配置および組み立ては、従来の配置と比較して実質的に簡易化されている。特定的には、各取付レール２０上にパネルを位置決めするための領域１９は、太陽電池パネルＳをその後の付着のための取付レール２０上の適所に置く人にははっきりと認識可能である。保持要素４０は、関連する太陽電池パネルＳが、取付レール２０に堅く固定される前にうっかり位置からはみ出すまたは取付レール２０から滑り落ちるのも防ぐ。さらに、各保持要素４０は、互いに対して整列された取付レール２０のあらかじめ設定したまたは所定の軸方向または長手方向位置決めを提供するように構成されている。すなわち、位置決め手段４７、４８は、取付レールの長手方向の整列ならびにそれらの差動高度または互いのアキシャル・オフセットを容易にする。このようにして、太陽電池パネルＳは、それらの上端縁領域と下端縁領域に沿って若干重なっている（すなわち、約１０ｍｍ〜２０ｍｍの範囲で）レール２０に取り付けられ、図９〜図１１に示す互い違いのまたは板葺の配置を提供し、当該配置は雨水の流出を促進し、かつ屋根構造内に雨水が浸入するのを抑制する。
【００５２】
その結果、一人の操作者は、取付フレーム１０を、長手方向に隣接する取付レール２０間の重複の所望のレベルでより容易に組み立てることができる。さらに、操作者は、太陽電池パネルＳが、勾配屋根の角度のある傾斜にも関わらず、うっかりと位置からはみ出したりまたは取付レール２０から滑り落ちたりしないと十分かって、太陽電池パネルＳを、保持要素４０によって明確に範囲を定められた取付位置に置くことができる。堅く付着された保持要素４０は、個々のパネルを所望の位置に保持し、操作者は、自由に他のパネルを配置できかつ／またはそれらの取付位置にすでに配置された太陽電池パネルＳの固定を完了できる。さらに、保持要素４０は、取付レール２０と協働して、太陽電池パネルアレイの組み立てにおける太陽電池パネルＳの列間の所定の程度の端縁重複を提供する。
【００５３】
図５および図２０ａを参照して、本発明の太陽電池パネル取付システム１００が、取付レール２０の長手方向範囲に沿って離間されて設けられる複数のスペーサ要素５０を含むことに注目されたい。このことは、同時係属中の上記特許文献１の記載を参照することによっても明らかである。スペーサ要素５０の一例を分離して示す図２０ａで見られるように、各スペーサ要素５０は、細長い、略長方形の本体部５１を含み、それに２つの舌状突出部５２がそれに従属している。これらの突出部５２は、図５に見られるような、取付レール２０の第１溝部１８内で受けられるように構成されている。よって、舌状突出部５２は、取付レール２０に対する所定の配向で各スペーサ要素５０を位置決めするすなわち位置させるための位置決め手段を形成する。この点について、各スペーサ要素５０の本体部５１は、第１溝部１８への開口のいずれかの側に、軸受表面１７上に着座される取付レール２０の上面に沿って延びている位置をとることに注目されたい。すなわち、本体部５１の下面５３は、軸受表面１７に対して着座するように構成されており、かつスペーサ要素５０は、それらの軸受表面１７の幅に本質的に対応する幅を有する。
【００５４】
その結果、各スペーサ要素５０の本体部５１の外側面すなわち側面５４は、取付レール２０の横方向の両側のパネル着座領域１９の限界または境界を確定するのに役立つ。さらに、スペーサ要素５０の本体部５１は、取付レール２０の両側の２つのパネル着座領域１９を物理的に互いに分離する。この配置の結果と利点は、図５から明らかである。特定的には、各太陽電池パネルＳの両側のフレームなし周端縁Ｐは、スペーサ要素５０の外側面すなわち側面５４に隣接してかつ／または整列して位置決めされ、かつそれによって互いに接触するのが防がれる。したがって、スペーサ要素５０は、取付レール２０上の太陽電池パネルＳの端縁領域Ｅを受けるためのパネル着座領域１９の範囲を明確に定めるまたはそれを確定するだけではなく、他の堅い物体と望ましくない衝突または接触による損傷を受けやすいパネルの端縁が保護されるように、２つのパネル着座領域１９を互いに分離する。これに関連して、スペーサ要素５０は、典型的にはポリエチレンなどの頑丈なポリマー・プラスチックから製造される。スペーサ要素５０は、またクランプレール４０と協働して、パネル着座領域１９で受けられる太陽電池パネルの端縁領域Ｅにかけられることがある締め付け圧の量を制限するというさらに重要な特徴も有する。
【００５５】
上で述べたように、取付レール２０は、互いに長手方向に整列されかつまた横方向に離間され、かつ実質的に平行に取付フレーム１０に配置されている。横方向に離間された取付レールは、そこに取り付けられる太陽電池パネルＳが取付レール２０のうちの２つに跨るように、太陽電池パネルＳの幅よりも若干広い距離の中心に配置されている。二本の平行に離間された取付レール２０の中心間距離は、スペーサ要素５０の幅にほぼ対応する、すなわち典型的には約２０ｍｍ〜約５０ｍｍの範囲の量だけ、太陽電池パネルＳの幅を越える。
【００５６】
図２０ａを参考して、スペーサ要素５０の本体部５１は、締め付けボルト６１を収容するための細長い開口部すなわちスロット５５を含むことがわかる。スペーサ要素５０のこれらの重要な特徴を、太陽電池パネルＳの各端縁領域Ｅが取付レール２０にしっかり固定されるやり方の次の説明の中で説明する。この点において、図４、図５および図１１を参照してかつ上記特許文献１に詳細に記載されているが、本発明の取付システム１００は、図１６および図１７の断面図に具体的に示す細長いクランプ部材またはクランプレール６０、６０’の例の形状の固定手段を備える。クランプレール６０、６０’は、パネルの端縁領域にかけられるクランプ力がほぼ均一に分配されることを保証するために、取付レール２０の実質的な長さを越えて延びており、かつ典型的には太陽電池パネルＳの端縁領域Ｅの長さ寸法の少なくとも約３分の２、より好ましくは少なくとも５分の４延びている。クランプレール６０、６０’は、各太陽電池パネルの端縁領域Ｅとクランプ係合して各取付レール２０に固着される。締め付けボルト６１は、ねじ式であり、かつ第１溝部１８を形成する壁２４上に形成される表面形状の部分的なねじ山と係合するように構成されている。
【００５７】
図１６および図１７を参照して、標準クランプレール６０および周辺クランプレール６０’の断面図を示す。各クランプレール６０、６０’には、各締め付けボルトまたはねじ６１を受けるための、その長さに沿って離間された（例えば４つの）穴６２が設けられている。各クランプレール６０、６０’は、少なくとも１つの細長い空洞すなわち溝部６３も含み、その開口は、パネル着座領域１９で受けられるその端縁領域Ｅで太陽電池パネルＳの表面と直接接触するために、すなわち前述したように、取付レール２０に形成される第２溝部２７に着座要素１３を設けるのとちょうど類似したやり方で、帯状またはパッド状着座要素１３を受けるための外部フランジ要素６５および内部フランジ要素６４によって境界されている。
【００５８】
各クランプレール６０、６０’は、本明細書では、太陽電池パネルＳの端縁領域Ｅにかけられるクランプ力を停止するまたは制限するための、畝状またはひれ状の突出部６６の形状で設けられる停止手段を組み込んでいる。図５を参照して、締め付けボルト６１が、それを第１溝部１８の壁２４の部分的なねじ外形にねじ込むことによって締められると、ボルト６１の頭部は、パネル着座領域１９に受けられる太陽電池パネルの端縁領域Ｅ上にクランプレール６０を引き下ろす。各帯状のゴム着座要素１３は、パネル着座領域１９に受けられる端縁領域Ｅで太陽電池パネルＳの上面および下面を係合し、かつ締め付けボルト６１によってかけられるクランプ力が大きくなるにつれて圧縮される。太陽電池パネルＳの所与の厚さとして、各帯状の着座要素１３の厚さは、突出部６６の高さと組み合わせて選択され、それによって締め付けボルト６１の所定の締め付け量に倣って、突出部６６がスペーサ要素５０の本体部５１の上面５６に係合する。
【００５９】
同様に、各スペーサ要素５０は、太陽電池パネルにかけられるクランプ力を停止するまたは制限するための停止手段も含む。これらの停止手段は、１つ以上の突出部、この場合一組の直立している隆線状の突出部５７の形状であってもよく、当該突出部５７は、クランプレールの下面６７に係合するように構成されている。よって、ボルト６１が所定量回されかつ締められた後、クランプレール６０の下面の突出部６６は、スペーサ要素５０の上面５６に係合し、かつスペーサ要素５０の上側の突出部５７は、クランプレール６０の下面６７に係合する。各スペーサ要素５０が比較的堅い（すなわち、ゴム着座要素１３より実質的に圧縮されにくい）ので、取付レール２０の軸受表面１７上に着座されるスペーサ要素の本体部５１は、太陽電池パネルの端縁領域Ｅにかけられるクランプ力を制限する。
【００６０】
上記特許文献１に記載されているように、スペーサ要素５０は、取付レール２０の長手方向の長さに沿って離間されて設けられる。締め付けボルト６１は、スペーサ要素５０と直接係合しないが、むしろ単に各スペーサ要素５０の中央に位置決めされる細長い開口部すなわちスロット５５を通って延びている。各開口部５５の細長い形状は、スペーサ要素５０と各クランプレール６０、６０’に形成される３つのボルト穴６２との間の位置合わせを簡略化する。この点について、スペーサ要素５０は、典型的には取付システム１００を組み立てる人によって手動で取付レール２０上に位置されることに注目されたい。よって、取付フレーム１０が支持構造（すなわち、この場合、勾配屋根）の上に組み立てられた後、スペーサ要素５０は、舌状突出部５２を取付レールの上側の第１溝部１８に挿入することによって取付レール２０上に置かれる。個々のスペーサ要素５０は、後に締められるべき各クランプレール６０、６０’に形成されるボルト穴６２の位置にほぼ対応するように置かれる。したがって、開口部５５の細長い性状は、スペーサ要素５０の位置決めにある程度の柔軟性を与え、かつクランプレール６０、６０’の締め付け穴６２との正確な整列または位置合わせは必要とされない。スペーサ要素５０は、最終的には上で述べた締め付け効果でそれらの位置に固定されて保持される。さらに、舌状突出部５２の外表面と第１溝部１８内の壁２４の輪郭面との間の干渉の程度は、クランプ部材６０、６０’が貼り付けられる前に、スペーサ要素５０のそれらの取付レール２０に沿った位置から外への不注意なまたは好ましくない移動（例えば、摺動運動）を避けるために、作業者によって置かれる位置にスペーサ要素５０を保持する（例えば、軽く保持する）のに役立つことがある。
【００６１】
図２０ｂは、図２０ａのスペーサ要素５０の変形でありかつ本発明の取付フレーム１０の最端縁領域で使用するために開発された特に好ましいスペーサ要素５０’を示す。図２０ａに示すスペーサ要素５０について記載されているのと同じ外観および参考番号を有するスペーサ要素５０’の特徴は、同じように作用する。しかしながら、スペーサ要素５０’の異なる特徴の目的は、太陽電池パネルアレイの最上端縁領域での図２０ｂに示すスペーサ要素５０’の使用を示す図３および図１２から明らかである。図２０ｂで見られるように、スペーサ要素５０’は、延長された本体部５１を有し、その１端部は、シート材料の端縁領域を受けかつ保持するための保持手段５８を含み、当該保持手段５８は、太陽電池パネルアレイの上周に雨よけＦを形成するように設計されている。特定的には、保持手段５８は、それに雨よけ材料Ｆの端縁が挿入されるスロット５９をその間に確定する一組の顎部を備える。保持手段５８の顎部は、雨よけＦが太陽電池パネルアレイにおける太陽電池パネルＳの最上周端縁の上にあるように、ある位置で雨よけシートＦを把持するまたはクランプで締めるように構成されている。雨よけシートは、屋根の横桁または当て木Ｂのうちの一方の頂部に締められ（例えば、ねじで締められ）てもよい。
【００６２】
スペーサ要素５０’にこの保持手段５８を設けることによって、雨よけシートＦを、基本シート材料Ｆの更なる適合を必要とすることなく、太陽電池パネルアレイに対してしっかりとかつ正確に位置されることができる。さらに、スロット５９を確定する顎部は、２ｃｍ〜８ｃｍの範囲の深さを有してもよいが、シートの横方向移動または変位が可能であるように、好ましくは雨よけシートＦの端縁を比較的軽く把持するだけであり、それによっても最適な位置調整を容易にする。
【００６３】
取付フレーム１０が勾配屋根の上にしっかりとかつ堅く組み立てられかつ設置された後、作業者は、それらの各位置に太陽電池パネルＳを配置し始めることができる。この点について、取付レール２０を用いて堅くあらかじめ組み立てられていてもよい保持要素４０は、各太陽電池パネルＳの下方周端縁Ｐの位置を明確に示すだけでなく、当該パネルが適所にクランプで締められる前に任意の望ましくない移動も防ぐ。同様に、取付レール２０の長さに沿って位置決めされるスペーサ要素５０は、各取付レール上のパネル着座領域１９の範囲を明確に定め、かつガラスシートの脆い端縁領域Ｅを損傷から保護する。太陽電池パネルがそれらの取付位置に配置された後、上で述べたように、クランプレール６０、６０’は、太陽電池パネルの端縁領域Ｅを取付けレール２０にしっかりと固定するように貼り付けられる。
【００６４】
当然のことながら、ほんの一例として、図面を参照して本発明の好ましい実施形態の上記説明をした。よって、前掲の特許請求の範囲で確定されるような本発明の範囲から逸脱することなく、特に説明しかつ図示した部分にさまざまな変更および修正および／または追加をしてもよいことを当業者は認識するであろう。
【図１】
2013513040.tif 000003
【図２】
2013513040.tif 000004
【図３】
2013513040.tif 000005
【図４】
2013513040.tif 000006
【図５】
2013513040.tif 000007
【図６】
2013513040.tif 000008
【図７】
2013513040.tif 000009
【図８】
2013513040.tif 000010
【図９】
2013513040.tif 000011
2013513040.tif 000012
【図１０】
2013513040.tif 000013
2013513040.tif 000014
【図１１】
2013513040.tif 000015
【図１２】
2013513040.tif 000016
【図１３】
2013513040.tif 000017
【図１４】
2013513040.tif 000018
【図１５】
2013513040.tif 000019
【図１６】
2013513040.tif 000020
【図１７】
2013513040.tif 000021
【図１８】
2013513040.tif 000022
【図１９】
2013513040.tif 000023
【図２０ａ】
2013513040.tif 000024
【図２０ｂ】
2013513040.tif 000025
【国際調査報告】
2013513040.tif 000026
2013513040.tif 000027
2013513040.tif 000028
2013513040.tif 000029
2013513040.tif 000030